(57)【要約】      （修正有）【課題】挟みこんだ食材が先端から脱落することを抑制する食品用トングを提供する。【解決手段】Ｕ字形状に形成された一対の操作部１、１の先端が物挟み部２、２である食品用トング１０であって、一対の物挟み部の少なくとも一方の物挟み部の物挟み側の面に、１又は２以上の突起３を形成する。突起は、長手方向に互いに離間して設置され、また長手方向と直交する短手方向に延びる長さを有することが好ましい。【選択図】図１
0003209240.tif 000002
【実用新案登録請求の範囲】
【請求項１】
Ｕ字形状に形成された一対の操作部の先端が物挟み部である食品用トングであって、
該一対の物挟み部の少なくとも一方の物挟み部の物挟み側の面には、１又は２以上の突起が形成されたものであることを特徴とする食品用トング。
【請求項２】
該物挟み部は、先端を閉じる方向に直交する側板と該側板の両側端から内側に延びる一対の両壁とで形成される物挟み凹部を有することを特徴とする請求項１記載の食品用トング。
【請求項３】
該２以上の突起は、長手方向に互いに離間して設置されるものであることを特徴とする請求項１又は２記載の食品用トング。
【請求項４】
該突起は、長手方向と直交する短手方向に延びる長さを有することを特徴とする請求項１〜３のいずれか１項に記載の食品用トング。
【請求項５】
該長さは、該物挟み側の面の幅方向における端から端までであることを特徴とする請求項４記載の食品用トング。
【請求項６】
該長さは、該物挟み側の面の幅方向長さの一部であることを特徴とする請求項４記載の食品用トング。
【請求項７】
該突起は、該物挟み側の面を正面から見た形状が、円形、半円形状、楕円形、四角形又は不定形であることを特徴とする請求項１記載の食品用トング。
【請求項８】
該物挟み部は、先端から長手方向に５０〜８０ｍｍの長さを有することを特徴とする請求項１記載の食品用トング。
【請求項９】
該突起の高さは０．５〜２．０ｍｍであることを特徴とする請求項１記載の食品用トング。
【考案の詳細な説明】
【技術分野】
【０００１】
本考案は、スーパーの惣菜売り場などで使用される食材の挟み安定性に優れる食品用トングに関するものである。
【背景技術】
【０００２】
スーパーの惣菜売り場やフライドチキン売り場などでは、顧客や店員が食材を取る際、食品用のトングが使用されている。従来の食品用トングとしては、例えば図８に示すような、Ｕ字形状に形成された一対の操作部１０１の先端が物挟み部１０２であるトング１００が知られている。このトング１００の物挟み部１０２には、両側壁１０３が形成されており、特に、両側壁１０３間に嵌るような形状の食材に対しては、挟み易い形状となっている。また、食材は両側壁１０３により、挟まれるため、横方向から落ちる心配がない。
【考案の概要】
【考案が解決しようとする課題】
【０００３】
しかしながら、従来のトング１００は、両側壁１０３により、横方向から落ちる心配はないものの、把持力が弱まると、両側壁１０３がガイド壁になり、食材が先端から脱落するという問題があった。特に、物挟み部がプラスティックで成型されたものは、特に問題であった。
【０００４】
従って、本考案の目的は、挟みこんだ食材が、先端から脱落することを抑制する食品用トングを提供することにある。
【課題を解決するための手段】
【０００５】
かかる実情において、本考案者は鋭意検討を行った結果、物挟み部の物挟み側の面に、滑り止めの突起を形成すれば、挟みこんだ食材が、横方向から脱落せず、且つ先端方向から脱落することを防止できることを見出し、本考案を完成するに至った。
【０００６】
すなわち、本考案は、Ｕ字形状に形成された一対の操作部の先端が物挟み部である食品用トングであって、該一対の物挟み部の少なくとも一方の物挟み側の面には、１又は２以上の突起が形成されたものであることを特徴とする食品用トングを提供するものである。
【０００７】
また、本考案は、該物挟み部は、先端を閉じる方向に直交する側板と該側板の両側端から内側に延びる一対の両壁とで形成される物挟み凹部を有することを特徴とする前記食品用トングを提供するものである。
【０００８】
また、本考案は、該２以上の突起は、長手方向に互いに離間して設置されるものであることを特徴とする前記食品用トングを提供するものである。
【０００９】
また、本考案は、該突起は、長手方向と直交する短手方向に延びる長さを有することを特徴とする前記食品用トングを提供するものである。
【００１０】
また、本考案は、該長さは、該物挟み側の面の幅方向における端から端までであることを特徴とする前記食品用トングを提供するものである。
【００１１】
また、本考案は、該長さは、該物挟み側の面の幅方向長さの一部であることを特徴とする前記食品用トングを提供するものである。
【００１２】
また、本考案は、該突起は、該物挟み側の面を正面から見た形状が、円形、半円形状、楕円形、四角形又は不定形であることを特徴とする前記食品用トングを提供するものである。
【００１３】
また、本考案は、該物挟み部は、先端から長手方向に５０〜８０ｍｍの長さであることを特徴とする前記食品用トングを提供するものである。
【００１４】
また、本考案は、該突起の高さは０．５〜２．０ｍｍであることを特徴とする前記食品用トングを提供するものである。
【考案の効果】
【００１５】
本考案によれば、把持力が弱まり、挟み込んだ食材が、先端方向から脱落する恐れがあったとしても、物挟み部の物挟み側の面に形成された滑り止め用の突起が、食材の先端方向への移動を阻止する。このため、食材の先端方向からの脱落を防止できる。
【図面の簡単な説明】
【００１６】
【図１】本考案の実施の形態における食品用トングの斜視図である。
【図２】図１のＸ-Ｘ線に沿って見た部分断面図である。
【図３】図１の食品用トングの平面図である。
【図４】図１の食品用トングの物挟み部の物挟み側の面を正面から見た図である。
【図５】図１の食品用トングの物挟み部の物挟み側の面を正面から見た他の図である。
【図６】図１の食品用トングの物挟み部の物挟み側の面を正面から見た他の図である。
【図７】図１の食品用トングの物挟み部の物挟み側の面を正面から見た他の図である。
【図８】従来の食品用トングの斜視図である。
【考案を実施するための形態】
【００１７】
次に、本考案の実施の形態における食品用トング（以下、単に「トング」とも言う。）を図１〜図７を参照して説明する。本例のトング１０は、Ｕ字形状に形成された一対の操作部１の先端が物挟み部２である。従って、物挟み部２も互いが所定の間隔で離間した一対ものである。トング１０において、一対の操作部１の基部１１は、帯状のステンレス材を長さ方向の中央部で折り返すことによりＵ字形状に形成され、金属部分より先端側は、プラスティック製となっている。物挟み部２を含む先端部分をプラスティック製とすることで、滑り止めの突起３を形成し易くなる。
【００１８】
トング１０において、Ｕ字形状に形成された操作部１の先端は、所定の間隔で離間するようになっている。ステンレス材は、適度な弾性部材であり、折り返し部１２でバネ性を付与しているため、トング１０の使用者がＵ字形状に形成された操作部１の先端の間隔を閉じる方向に押圧することにより、先端の物挟み部２は閉じることができる。また、操作部１の先端の間隔を閉じる方向への押圧を解放することで、操作部１のバネ弾性力により、操作部１の先端の間隔が開くようになる。
【００１９】
トング１０において、一対の物挟み部２、２の少なくとも一方の物挟み部の物挟み側の面２１には、１又は２以上の突起３が形成されたものである。本例では、一対の物挟み部２、２の物挟み側の両面２１、２１に、４つの突起３が形成されている。これにより、挟まれた物が先端から脱落することを防止できる。
【００２０】
４つの突起３は、長手方向に互いに離間して設置されている。これにより、物挟み部２のいずれの部分で挟んでも、挟まれた物が先端から脱落することを防止できる。突起３は、長手方向（図１の符号Ａ-Ａ方向）と直交する短手方向（図１の符号Ｂ-Ｂ方向）に延びる長さを有する。すなわち、この長さは、物挟み側の面２１の幅方向における長さであり、本例の突起３は、端から端までの長さを有している。
【００２１】
物挟み部２は、先端を閉じる方向に直交する側板１３と側板１３の両側端から内側に延びる一対の両壁１４、１４とで形成される物挟み凹部２２を有する。物挟み凹部２２を有することで、挟んだ物の脱落の可能性が著しく低くなる。また、両壁１４、１４を有することで、左右方向（短手方向）からの脱落を防止できる。また、両壁１４、１４の先端形状は、波歯であり、把持力を高めている。
【００２２】
トング１０において、物挟み部２は両壁１４、１４を有するため、左右方向（短手方向）からの脱落を防止できる。また、例えば、把持力が弱まり、挟み込んだ食材が、先端方向から脱落する恐れがあったとしても、物挟み部の物挟み側の面（裏面）２１に形成された滑り止め用の突起３が、食材の先端方向への移動を阻止する。このため、食材の先端方向からの脱落を防止できる。
【００２３】
本考案において、突起としては、上記実施の形態例に限定されず、例えば、図４に示すような円形状の突起３ａであってもよい。この突起３ａは、先尖りであっても、円筒形状であってもよい。突起３ａは、物挟み側の面２１の幅方向長さの一部であるものの、物挟み部２にすっぽり嵌る細長い食材に対して滑り止めとして作用する。
【００２４】
図４の突起３ａは、物挟み側の面２１の長手方向の一直線上に形成されているが、これに限定されず、物挟み側の面２１の長手方向において、ジグザク状又は不規則に存在していてもよい。また、突起３ａは、４個に限定されず、１個又は４個を除く２個以上であってもよい。また、突起３ａは、物挟み側の面２１の幅方向において、２個以上が隣接するものであってもよい。突起３ａの高さは、突起３と同様である。
【００２５】
本考案において、突起としては、上記実施の形態例に限定されず、例えば、図５に示すような突起３ｂであってもよい。この突起３ｂは、物挟み側の面２１の幅方向長さの一部であるものの、物挟み部２で挟まれた食材に対して滑り止めとして作用する。この突起３ｂは、物挟み側の面２１に直交する正面方向から見て、扁平状楕円又は扁平状四角形のいずれであってもよい。
【００２６】
図５の突起３ｂは、物挟み側の面２１の長手方向の一直線上に存在するが、これに限定されず、物挟み側の面２１の長手方向において、ジグザク状又は不規則に存在していてもよい。また、突起３ｂは、４個に限定されず、１個又は４個を除く２個以上であってもよい。突起３ｂの高さは、突起３と同様である。
【００２７】
本考案において、突起としては、上記実施の形態例に限定されず、例えば、図６に示すような三日月状の突起３ｃであってもよい。この突起３ｃは、物挟み側の面２１の幅方向長さの一部であるものの、物挟み部２で挟まれた食材に対して滑り止めとして作用する。この突起３ｃは、物挟み側の面２１の長手方向の一直線上に存在するが、これに限定されず、物挟み側の面２１の長手方向において、ジグザク状又は不規則に存在していてもよい。また、突起３ｃは、４個に限定されず、１個又は４個を除く２個以上であってもよい。突起３ｃの高さは、突起３と同様である。
【００２８】
本考案において、突起としては、上記実施の形態例に限定されず、例えば、図７に示すような傾斜状の突起３ｄであってもよい。この突起３ｄは、長手方向に対して傾斜する直線状の突起であり、隣接する突起とは、互いに傾斜方向を異にする。突起３ｄは、物挟み側の面２１の幅方向長さの一部であるものの、物挟み部２で挟まれた食材に対して滑り止めとして作用する。この突起３ｄは、これに限定されず、物挟み側の面２１の長手方向において、不規則なジグザク状であってもよい。また、突起３ｃは、４個に限定されず、１個又は４個を除く２個以上であってもよい。また、突起の傾斜角度は、特に限定されないが、短手方向（幅方向）との傾斜角度が４５度以下、好ましくは３０度以下のものが好ましい。突起３ｄの高さは、突起３と同様である。
【００２９】
本考案の突起は、物挟み側の面を正面から見た形状が、円形、半円形状、楕円形、四角形又は不定形である。また、２以上の突起は、長手方向に互いに離間して設置されるものが好ましい。また、図１の突起は、物挟み部の物挟み側の一対の両面に形成されたものであるが、これに限定されず、一対の中の一方の面のみであってもよい。
【産業上の利用可能性】
【００３０】
本考案のトングによれば、把持力が弱まり、挟み込んだ食材が、先端方向から脱落する恐れがあったとしても、物挟み部の物挟み側の面に形成された滑り止め用の突起が、食材の先端方向への移動を阻止する。このため、食材の先端方向からの脱落を防止でき、衛生的であり、レストラン側及び使用者側共に、利益を享受できる。
【符号の説明】
【００３１】
１    操作部
２    物挟み部
３、３ａ〜３ｄ        お皿
１０、１０ａ〜１０ｄ    トング
２１    物挟み側の面（裏面）
【図１】
0003209240.tif 000003
【図２】
0003209240.tif 000004
【図３】
0003209240.tif 000005
【図４】
0003209240.tif 000006
【図５】
0003209240.tif 000007
【図６】
0003209240.tif 000008
【図７】
0003209240.tif 000009
【図８】
0003209240.tif 000010